(57)【要約】【課題】横積み時における水漏れを簡単に防止でき、使用後の処分も容易な切花の保水容器及び梱包体を提供する。【解決手段】個装箱１の底部に保水容器２を挿入し、保水容器２は、枠板２１の上縁から延びる鍔板２３，２４を一組ずつ連結片を介して繋ぎ合わせ、周壁を角筒状に組み立てると、鍔板２３，２４が斜め下方へ向くようにし、保水容器２に上方から被せた袋２７内に水を入れ、切花の茎を保水容器２に挿入して袋２７内の水に浸け、切花を個装箱１に収納する。横積みにされても、鍔板２３又は２４の先端縁が水面の上方に保たれて、ほとんど水漏れすることがなく、茎の下部が適度な水深となる袋２７内の水に浸り、切花の鮮度が維持される。使用後には、分別した袋２７を嵩低く丸めて処分することができる。【選択図】  図６
2004338767.tif 000002
【特許請求の範囲】
【請求項１】
周壁をなす４枚の枠板の上縁にそれぞれ鍔板を連設し、鍔板を内側へ折り込み、隣り合う鍔板同士を一組ずつ連結片を介して繋ぎ合わせ、連結片の基端折目線を枠板の上縁に対し４５°より大きい角度で傾斜させることにより、周壁を角筒状に組み立てると、鍔板が斜め下方へ向くようにし、上方から保水用の袋を被せて使用する切花の保水容器。
【請求項２】
請求項１に記載の保水容器の袋内に水を入れ、保水容器を個装箱の底部に挿入し、切花の茎を４枚の鍔板の先端縁に囲まれた開口部から保水容器に挿入して、茎の下部を袋内の水に浸け、切花を個装箱に収納するようにした切花の個別梱包体。
【請求項３】
請求項２に記載の個別梱包体を複数個まとめてトレーに載置し、これらの個別梱包体の上部に反転させたトレーを被せ、各トレーに形成した二股状の差込片を、隣接する個別梱包体の稜部に形成した差込穴に差し込んで、個別梱包体同士を一体化すると共に、各トレーを個別梱包体に係止するようにした切花の集合梱包体。
【発明の詳細な説明】
【０００１】
【発明の属する技術分野】
この発明は、切花を水に差して鮮度を保ちつつ、横置き状態で輸送できるようにした段ボールを主体とする切花の保水容器及び梱包体に関するものである。
【０００２】
【従来の技術】
従来、切花等の植物を、鮮度を保ちつつ輸送できるようにした梱包体として、図１１に示すように、段ボール製の外箱５１及び台枠５２から成り、外箱５１の底部に台枠５２を挿入し、この台枠５２で鉢状の容器５３を保持して、容器５３に入れた土に植物５４を植えたままの状態で、植物５４を輸送できるようにしたものが使用されている（特許文献１参照）。
【０００３】
【特許文献１】
実公平４−３９１３２号公報（第５図）
【０００４】
【発明が解決しようとする課題】
ところで、上記梱包体の容器５３に水を入れ、切花を水に差した状態で輸送する際には、横積みしても水が漏れないように、容器５３として開口部に中心方向への鍔を有するプラスチック成形体を使用し、切花の茎に吸水性を有する新聞紙等を紐で巻き付けて、容器５３の開口部と茎の隙間をなくすようにしている。
【０００５】
しかしながら、この場合、新聞紙の巻き付け等に手間がかかるだけでなく、輸送先での開梱後に不要となった容器５３は、その回収が困難な現状から、不燃物として外箱や台枠とは分別して処分しなければならず、嵩高い不燃ごみが発生するという問題がある。
【０００６】
そこで、この発明は、横積み時における水漏れを簡単に防止でき、使用後の処分も容易な切花の保水容器及び梱包体を提供することを課題とする。
【０００７】
【課題を解決するための手段】
上記課題を解決するため、この発明においては、周壁をなす４枚の枠板の上縁にそれぞれ鍔板を連設し、鍔板を内側へ折り込み、隣り合う鍔板同士を一組ずつ連結片を介して繋ぎ合わせ、連結片の基端折目線を枠板の上縁に対し４５°より大きい角度で傾斜させることにより、周壁を角筒状に組み立てると、鍔板が斜め下方へ向くようにし、上方から保水用の袋を被せて使用する切花の保水容器を提供することとしたのである。
【０００８】
そして、この保水容器の袋内に水を入れ、保水容器を個装箱の底部に挿入し、切花の茎を４枚の鍔板の先端縁に囲まれた開口部から保水容器に挿入して、茎の下部を袋内の水に浸け、切花を個装箱に収納するようにしたのである。
【０００９】
この梱包体では、袋に入れる水の量を所定量以下にしておくと、花卉市場等での荷扱い時に横積みにされても、保水容器の下方となった鍔板の先端縁が水面の上方に保たれて、水漏れが防止されると共に、少量の水でもある程度の水深が得られるので、茎の下部が水に浸り、切花の鮮度が維持される。
【００１０】
また、上記個別梱包体を複数個まとめてトレーに載置し、これらの個別梱包体の上部に反転させたトレーを被せ、各トレーに形成した二股状の差込片を、隣接する個別梱包体の稜部に形成した差込穴に差し込んで、個別梱包体同士を一体化すると共に、各トレーを個別梱包体に係止して集合梱包体を形成すると、荷扱いを効率化することができる。
【００１１】
【発明の実施の形態】
以下、この発明の実施の形態を添付図面に基づいて説明する。この発明に係る梱包体は、図１乃至図４に示す段ボール製のブランクを主要な構成部材として組み立てられるものである。
【００１２】
図１に示す個装箱１のブランクでは、前壁１１、側壁１２、後壁１３及び側壁１４が順次連設され、側壁１２の下縁には底板１５ａが、前壁１１及び後壁１３の下縁には底板１５ｂが、側壁１４の下縁には底板１５ｃがそれぞれ連設されている。側壁１２，１４の上縁には蓋受片１６ａが、前壁１１の上縁には蓋受片１６ｂがそれぞれ連設され、後壁１３の上縁には蓋板１７が連設されている。
【００１３】
前壁１１には中間下部を横切る繋部付きの切目線１１ａが、側壁１２には横切線１１ａから後壁１３の上端角へ至る折目線１２ａが入れられ、その上方部分が扉部１８とされている。前壁１１の外側縁には、差込片１１ｂ，１１ｃが切目線１１ａの上方及び下方にそれぞれ連設されている。
【００１４】
側壁１４の外側縁下部及び上部には、継代片１４ａ及び扉受片１４ｂがそれぞれ連設され、その基端には差込穴１４ｃ，１４ｄがそれぞれ設けられている。蓋板１７の先端には差込片１７ａが連設され、蓋受片１６ｂの基端には差込穴１１ｄが設けられている。また、前壁１１、側壁１２、後壁１３及び側壁１４の稜部には、差込穴１９が設けられている。
【００１５】
次に、図２に示す保水容器２のブランクでは、４枚の枠板２１が一列に連設され、その一側に継代片２１ａが連設されている。各対の枠板２１の上縁にはそれぞれ鍔板２３，２４が連設され、各鍔板２３の一側から隣接する鍔板２４へ向けて連結片２５が延出されている。
【００１６】
この連結片２５の基端折目線２５ａは、枠板２１の上縁に対し４５°より大きい角度で傾斜し、鍔板２４の一側も同様に傾斜している。なお、この実施形態では、折目線２５ａの傾斜角度を６０°程度に設定している。
【００１７】
そのほか、各枠板２１の下縁には、底板２２ａ，２２ｂ，２２ｃがそれぞれ図示のような配列で連設され、各枠板２１には、Ｕ字状に切込を入れて引掛片２６が形成されている。
【００１８】
また、図３に示す上下のトレー３のブランクでは、４枚の側板３１が一列に連設され、その一側には継代片３１ａが連設されている。各側板３１には底板３２ａ，３２ｂが図示のように連設され、底板３２ｂの一側には連結片３２ｃが設けられている。側板３１には二股状の差込片３３が切込により形成されている。
【００１９】
いま、上記ブランクから成る梱包体により切花を梱包する際には、図４に示すように、保水容器２において、４枚の枠板２１を稜線に沿って折り曲げ、継代片２１ａを他側に貼着して周壁を形成すると共に、鍔板２３，２４を内側へ折り込み、隣り合う鍔板２３，２４同士を一組ずつ連結片２５を介して繋ぎ合わせる。
【００２０】
このように接合した保水容器２は、扁平に折り畳んでおくことができるので、保管時に嵩張ることがなく、使用時には、周壁を簡単に角筒状に組み立てることができる。
【００２１】
そして、周壁を角筒状に組み立てると、鍔板２３，２４が斜め下方へ向き、この状態で、底板２２ａ，２２ｂ，２２ｃを順次内側へ折り曲げて噛み合わせ、底壁２２を形成すると、保水容器２の形状が維持される。
【００２２】
その後、図５に示すように、保水容器２に上方からプラスチックフィルム製の袋２７を被せ、袋２７の切込を引掛片２６に引っ掛けて、枠板２１に袋２７を係止し、袋２７内に所定量の水を入れる。
【００２３】
また、個装箱１において、前壁１１、側壁１２、後壁１３及び側壁１４を角筒状に折り曲げて周壁をなし、差込片１１ｂを差込穴１４ｃに差し込んで周壁下部の形状を維持すると共に、底板１５ａ，１５ｂ，１５ｃを順次内側へ折り曲げて噛み合わせることにより、底壁１５を形成する。
【００２４】
そして、図６に示すように、折目線１２ａに沿って側壁１２を折り曲げ、扉部１８を大きく開口させた状態で、保水容器２を個装箱１の底部に挿入し、切花の茎を鍔板２３，２４の先端縁に囲まれた開口部から保水容器２に挿入して、茎の下部を袋２７内の水に浸け、切花を個装箱１に収納する。
【００２５】
なお、このように扉部１８を開いた状態で切花を展示すると、個装箱１が前面から一側面及び天面へかけて大きく開口するので、切花の大部分が露出して、優れた展示効果を得ることができる。
【００２６】
その後、図７に示すように、扉受片１４ｂを内側へ折り曲げ、扉部１８を閉じて、差込片１１ｃを差込穴１４ｄに差し込み、蓋受片１６ａ，１６ｂを順次内側へ折り曲げ、蓋板１７を閉じて、差込片１７ａを差込穴１１ｃに差し込むと、切花の個別梱包体が形成される。
【００２７】
このような梱包体では、例えば、花卉市場での荷扱い時に横積みにされても、図８に示すように、保水容器２の下方となった鍔板２３又は２４の先端縁が水面の上方に保たれて、水漏れが防止されると共に、少量の水でもある程度の水深が得られるので、茎の下部が水に浸り、切花の鮮度が維持される。
【００２８】
また、図９に示すように、上下の各トレー３を、側板３１から周壁をなし、隣り合う底板３２ａ，３２ｂを連結片３２ｃで継ぎ合わせるように組み立てて、これらのトレー３により、上記のような個別梱包体を複数個まとめて集合梱包体を形成するようにしてもよい。
【００２９】
この際、複数個まとめた個別梱包体を下方のトレー３に載置し、これらの個別梱包体の上部に反転させた上方のトレー３を被せ、図１０に示すように、各トレー３の差込片３３を折目線に沿って屈曲させつつ、隣接する個別梱包体の差込穴１９に差し込む。
【００３０】
このように差込片３３を差し込むと、個別梱包体同士が一体化されると共に、各トレー３が個別梱包体に係止されて、バンド掛け等を行うことなく、堅固な集合梱包体を形成できるので、個別梱包体を何度も運搬するよりも、効率的に荷扱い作業を行うことができる。
【００３１】
そして、上記のような梱包体を配送先で廃棄する際には、保水容器２から分離した袋２７を丸めて処分することができるので、不燃ごみの嵩が減り、個装箱１や保水容器２、トレー３の段ボールは、古紙の原料としてリサイクルし、資源を有効利用することができる。
【００３２】
【発明の効果】
以上のように、この発明に係る保水容器を用いた梱包体では、袋に入れる水の量を所定量以下にしておくと、荷扱い時に横積みにされても、保水容器の下方となった鍔板の先端縁が水面の上方に保たれて、ほとんど水漏れすることがなく、茎の下部が適度な水深となる袋内の水に浸り、切花の鮮度が維持される。
【００３３】
また、上記個別梱包体を上下のトレーで複数個まとめ、トレーに形成した二股状の差込片を、個別補梱包体の稜部に形成した差込穴に差し込んで、これらを一体化すると、荷扱いの効率化を図ることができる。
【図面の簡単な説明】
【図１】この発明に係る梱包体の個装箱のブランクを示す図
【図２】同上の保水容器のブランクを示す図
【図３】同上の上下のトレーのブランクを示す図
【図４】同上の保水容器の組立状態を示す斜視図
【図５】同上の個装箱への保水容器の挿入過程を示す斜視図
【図６】同上の切花の収納状態を示す斜視図
【図７】同上の切花の梱包状態を示す斜視図
【図８】同上の個別梱包体の横積み状態を示す断面図
【図９】同上の個別梱包体を複数まとめた集合梱包体を示す斜視図
【図１０】同上の差込片の差込部分を示す拡大斜視図
【図１１】従来の切花梱包体を示す斜視図
【符号の説明】
１  個装箱
２  保水容器
３  トレー
１９  差込穴
２１  枠板
２３，２４  鍔板
２５  連結片
２７  袋
３３  差込片
【図１】
2004338767.tif 000003
【図２】
2004338767.tif 000004
【図３】
2004338767.tif 000005
【図４】
2004338767.tif 000006
【図５】
2004338767.tif 000007
【図６】
2004338767.tif 000008
【図７】
2004338767.tif 000009
【図８】
2004338767.tif 000010
【図９】
2004338767.tif 000011
【図１０】
2004338767.tif 000012
【図１１】
2004338767.tif 000013